(57)【要約】【課題】できるだけ見映えを損なうことなく、カバーガラスの割れを防止する。【解決手段】携帯電話機１に矩形状の表示部２と、この表示部２を収容する表示部収容部３ａを有する正面側キャビネット３とを設ける。表示部収容部３ａ周縁に表示部２の表面を覆うカバーガラス７が嵌め込まれる矩形枠状のガラス収容部３ｃを設ける。カバーガラス７の周縁を面取りすると共に、カバーガラス７の表面をガラス収容部３ｃ周縁のリブ３ｄよりも、四隅を除き高くする。【選択図】図１
2014099686.tif 000002
【特許請求の範囲】
【請求項１】
矩形状の表示部と、
上記表示部を収容する表示部収容部を有するキャビネットと、
上記表示部収容部周縁に形成され、上記表示部の表面を覆うカバーガラスが嵌め込まれる矩形枠状のガラス収容部とを備え、
上記カバーガラスの周縁は、面取りされると共に、該カバーガラスの表面は、上記ガラス収容部周縁に立設したリブよりも、四隅を除き高くなっている
ことを特徴とする携帯端末。
【請求項２】
請求項１に記載の携帯端末において、
上記ガラス収容部周縁のリブは、四隅から曲線状に徐々に高さが低くなっている
ことを特徴とする携帯端末。
【発明の詳細な説明】
【技術分野】
【０００１】
本発明は、表示部を有する携帯端末に関し、特に表示部を覆うカバーガラスの割れ防止に関する。
【背景技術】
【０００２】
従来より、例えば、特許文献１のように、キャビネットの枠部内に液晶ディスプレイのカバーガラスを、キャビネットの周縁から距離を空けて設けるものが知られている。この携帯端末では、その落下時にキャビネットの周縁が当たるようにしてカバーガラスが割れないようにしている。
【０００３】
また、最近のスマートフォンに代表される携帯端末では、フラット形状のカバーガラスがキャビネットに貼り付けられるようになっている。このカバーガラスが割れるのを防ぐために、キャビネットの周縁は、カバーガラスよりも高くなっている。
【先行技術文献】
【特許文献】
【０００４】
【特許文献１】特開２０１２−４９６７１号公報
【発明の概要】
【発明が解決しようとする課題】
【０００５】
しかしながら、外観を向上させるため、近年カバーガラスの周縁を大きく面取り加工したいというニーズがある。ガラスの端面を切削加工すると、大なり小なりカケが発生する。このカケのために、さらにカバーガラスが割れやすくなる。
【０００６】
一方で、見映えをよくするためには、上記特許文献１のようにキャビネットの全体を高くするのは望ましくない。
【０００７】
本発明は、かかる点に鑑みてなされたものであり、その目的とするところは、できるだけ見映えを損なうことなく、カバーガラスの割れを防止することにある。
【課題を解決するための手段】
【０００８】
上記の目的を達成するために、この発明では、四隅のみカバーガラスよりもキャビネットのリブを高くするようにした。
【０００９】
具体的には、第１の発明の携帯端末は、
矩形状の表示部と、
上記表示部を収容する表示部収容部を有するキャビネットと、
上記表示部収容部周縁に形成され、上記表示部の表面を覆うカバーガラスが嵌め込まれる矩形枠状のガラス収容部とを備え、
上記カバーガラスの周縁は、面取りされると共に、該カバーガラスの表面は、上記ガラス収容部周縁に立設したリブよりも、四隅を除き高くなっている。
【００１０】
上記の構成によると、カバーガラスの表面の大部分がガラス収容部周縁に立設したリブよりも高くなり、見映えがよくなっているが、落下時に最も割れやすいカバーガラスの四隅は、リブにより守られているので、落下時の破損が防止される。また、リブは四隅のみ高くしているので、見映えの悪化は最小限となっている。
【発明の効果】
【００１１】
以上説明したように、本発明によれば、カバーガラスの周縁を面取りすると共に、その表面を四隅を除きガラス収容部周縁に立設したリブよりも高くしたことにより、できるだけ見映えを損なうことなく、カバーガラスの割れを防止することができる。
【図面の簡単な説明】
【００１２】
【図１】図２のＩ−Ｉ線拡大断面図である。
【図２】（ａ）が携帯電話機を正面側から見た斜視図であり、（ｂ）がカバーガラスを外したときの斜視図である。
【発明を実施するための形態】
【００１３】
以下、本発明の実施形態を図面に基づいて説明する。
【００１４】
図２（ａ）は、携帯電話機を正面側から見た斜視図であり、図２（ｂ）は、カバーガラスを外したときの斜視図である。図１は、図２のＩ−Ｉ線拡大断面図である。本発明の実施形態の携帯端末としての携帯電話機１は、矩形状の表示部２と、この表示部２を収容する表示部収容部３ａを有する正面側キャビネット３を有する。表示部収容部３ａは、正面側キャビネット３の樹脂部分と、それと共にインサート成形したフレーム３ｂとで形成される矩形状の凹部よりなる。
【００１５】
正面側キャビネット３の背面側は、背面側キャビネット４で覆われ、その背面がリアカバー５で覆われている。背面側キャビネット４には、充電池６が収容されている。
【００１６】
表示部２は、表示部２の表面を覆うカバーガラス７と、それよりも一回り小さい外形を有し、表示部収容部３ａに収容される液晶ユニット８とを備えている。そして、表示部収容部３ａの周縁には、カバーガラス７が嵌め込まれる矩形枠状のガラス収容部３ｃが設けられている。このガラス収容部３ｃの大きさに合わせた両面テープ９により、カバーガラス７がガラス収容部３ｃの表面に密閉状に貼り付けられている。
【００１７】
そして、図１に拡大して示すように、カバーガラス７の周縁は、見映えをよくするために正面側から背面側に掛けて徐々に薄くなるように面取りされている。カバーガラス７の表面は、大部分のガラス収容部３ｃ周縁のリブ３ｄよりも高くなっている。具体的には、図２に示すように、ガラス収容部３ｃ周縁のリブ３ｄは、四隅３ｅ部分が最も高くなり、そこから曲線状に徐々に高さが低くなっている。この四隅３ｅは、カバーガラス７よりも高くなっている。
【００１８】
−実施形態の効果−
（１）このように構成したことにより、カバーガラス７の表面の大部分がガラス収容部３ｃ周縁のリブ３ｄよりも高くなり、見映えがよくなっているが、落下時に最も割れやすいカバーガラス７の四隅は、リブ３ｄにより守られているので、落下時の破損が防止される。また、リブ３ｄは四隅３ｅのみ高くしているので、見映えの悪化は最小限となっている。
【００１９】
（２）ガラス収容部３ｃ周縁のリブ３ｄは、四隅３ｅから曲線状に徐々に高さが低くなるようにした。このため、高くなったリブ３ｄの四隅３ｅの形状が曲線状に滑らかに低くなっているので、見映えがよくなる。
【００２０】
したがって、本実施形態に係る携帯電話機１によると、カバーガラス７の周縁を面取りすると共に、その表面を四隅を除きガラス収容部３ｃ周縁のリブ３ｄよりも高くしたことにより、できるだけ見映えを損なうことなく、カバーガラス７の割れを防止することができる。
【００２１】
（その他の実施形態）
本発明は、上記実施形態について、以下のような構成としてもよい。
【００２２】
すなわち、上記実施形態では、携帯電話機１をストレートタイプのものとしたが、表示部を有する第１の筐体が、第２の筐体に対して折畳み開閉可能に連結された折畳み式携帯電話機や、第１の筐体が第２の筐体に対してスライド可能に連結されたスライド式携帯電話機でもよく、その場合には、第１の筐体において本発明の構造を設けるとよい。
【００２３】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２５】
１      携帯電話機
２      表示部
３      正面側キャビネット
３ａ    表示部収容部
３ｂ    フレーム
３ｃ    ガラス収容部
３ｄ    リブ
３ｅ    四隅
４      背面側キャビネット
５      リアカバー
６      充電池
７      カバーガラス
８      液晶ユニット
９      両面テープ
【図１】
2014099686.tif 000003
【図２】
2014099686.tif 000004